(57)【要約】ＦＤＭＡシステムのアップリンク用送信スキームによって、あるパイロットスキームを用いて、干渉が支配するシステムのパフォーマンスが改善される。このパイロットスキームは、あるユーザに対してチャネル推定を得るに十分な情報を提供するが、同時にセルごとに異なるパイロットパターンを使用することを可能としており、それによって同一チャネル干渉が軽減されるのである。コードワードを用いて、サブキャリアのうちでパイロットシンボルの組を配置する。各サブキャリアには１または２以上のデータタイムスロットに関連して、第１および第２のパイロットタイムスロットがある。サブキャリアの組について、どれで合成信号を送信するか識別される。第１および第２のパイロットタイムスロットは、コードワードにしたがってパイロットシンボルで満たされている。そして、合成信号が変調データ信号とパイロット信号との組合せとしてフォーマットされる。【選択図】図５
2010519882.tif 000002
【特許請求の範囲】
【請求項１】
移動局から基地局へ送信する合成信号を作成する方法であって、
１または２以上のデータタイムスロットに関連した第１のパイロットタイムスロットと第２のパイロットタイムスロットとをそれぞれが含むサブキャリアの組のうちでパイロットシンボルの組を配置するためのコードワードを取得するステップと、
前記合成信号を送信するサブキャリアの組を識別するステップと、
前記コードワードにしたがって前記第１のパイロットタイムスロットおよび前記第２のパイロットタイムスロットを前記パイロットシンボルで満たすステップと、
前記合成信号を変調データ信号とパイロット信号との組合せとしてフォーマットするステップと
を含む方法。
【請求項２】
前記コードワードはビットの組を含み、各ビットは１つのサブキャリアに関連しており、各ビットの値は、関連する前記サブキャリアのうちでの前記移動局に対するパイロットシンボルの有無を表している、請求項１に記載の方法。
【請求項３】
サブキャリアの前記第２のパイロットタイムスロットが１または２以上のパイロットシンボルで満たされている場合には前記サブキャリアの前記第１のパイロットタイムスロットにおいて信号が送信されることはなく、前記サブキャリアの前記第１のパイロットタイムスロットが１または２以上のパイロットシンボルで満たされている場合には前記サブキャリアの前記第２のパイロットタイムスロットにおいて信号が送信されることはない、請求項１に記載の方法。
【請求項４】
前記コードワードは、隣接するセルにおける他の移動局に使用されるコードワードと同一である、請求項１に記載の方法。
【請求項５】
前記コードワードは前記第１のパイロットタイムスロットを満たすのに使用され、前記コードワードの逆が前記第２のパイロットタイムスロットを満たすのに使用される、請求項１に記載の方法。
【請求項６】
前記コードワードは、限られた数の位置でしか隣接セルのコードワードと重複しないように選択される、請求項１に記載の方法。
【請求項７】
前記コードワードは疑似乱数ホッピングパターンに基づいたものである、請求項１に記載の方法。
【請求項８】
用いる前記疑似乱数ホッピングパターンは、隣接するセルで用いられるものとは異なる、請求項７に記載の方法。
【請求項９】
前記コードワードは、距離性質が良いバイナリエラー訂正コード、またはハミングコード、または拡張ハミングコード、または拡張ハミングコードの変形、またはノルドストロム‐ロビンソンコードから選択される、請求項１に記載の方法。
【請求項１０】
データシンボルの組を取得するステップと、
前記１または２以上のデータタイムスロットを前記データシンボルで満たすステップと、
前記合成信号を前記基地局へ送信するステップと
をさらに含む、請求項１に記載の方法。
【請求項１１】
前記コードワードを取得するステップは、
前記基地局から１または２以上のコードワードを含む制御信号メッセージを受信するステップと、
前記１または２以上のコードワードをメモリに格納するステップと、
前記メモリから前記コードワードのうちの１つを読み出すステップと
を含む、請求項１に記載の方法。
【請求項１２】
前記コードワードを取得するステップは、
前記基地局からコードワードインジケータを含む制御信号メッセージを受信するステップと、
前記コードワードインジケータを用いて前記コードワードを判定するステップと
を含む、請求項１に記載の方法。
【請求項１３】
受信部と、送信部と、前記受信部および前記送信部と接続されて通信可能である処理部とを備える移動局であって、
前記処理部は、合成信号を送信するサブキャリアの組を識別し、識別された各サブキャリアは、１または２以上のデータタイムスロットに関連した第１のパイロットタイムスロットと第２のパイロットタイムスロットとを含んでおり、また前記処理部は、前記サブキャリアの組のうちでパイロットシンボルの組を配置するためのコードワードを取得し、前記コードワードにしたがって前記第１のパイロットタイムスロットおよび前記第２のパイロットタイムスロットを前記パイロットシンボルで満たし、前記合成信号を変調データ信号とパイロット信号との組合せとしてフォーマットする、移動局。
【請求項１４】
前記コードワードはビットの組を含み、各ビットは１つのサブキャリアに関連しており、各ビットの値は、関連する前記サブキャリアのうちでの前記移動局に対するパイロットシンボルの有無を表している、請求項１３に記載の移動局。
【請求項１５】
処理部は、サブキャリアの前記第２のパイロットタイムスロットが１または２以上のパイロットシンボルで満たされている場合には前記サブキャリアの前記第１のパイロットタイムスロットにおいて信号を送信せず、前記サブキャリアの前記第１のパイロットタイムスロットが１または２以上のパイロットシンボルで満たされている場合には前記サブキャリアの前記第２のパイロットタイムスロットにおいて信号を送信しない、請求項１３に記載の移動局。
【請求項１６】
前記コードワードは、隣接するセルにおける他の移動局に使用されるコードワードと同一である、請求項１３に記載の移動局。
【請求項１７】
前記処理部は、前記第１のパイロットタイムスロットを満たすのに前記コードワードを使用し、前記コードワードの逆が前記第２のパイロットタイムスロットを満たすのに使用される、請求項１３に記載の移動局。
【請求項１８】
前記コードワードは、限られた数の位置でしか隣接セルのコードワードと重複しない、請求項１３に記載の移動局。
【請求項１９】
前記コードワードは疑似乱数ホッピングパターンに基づいたものである、請求項１３に記載の移動局。
【請求項２０】
用いる前記疑似乱数ホッピングパターンは、隣接するセルで用いられるものとは異なる、請求項１９に記載の移動局。
【請求項２１】
前記コードワードは、ハミング距離性質が良いバイナリエラー訂正コード、または拡張ハミングコード、または拡張ハミングコードの変形、またはノルドストロム‐ロビンソンコードから選択される、請求項１３に記載の移動局。
【請求項２２】
前記処理部は、さらに、データシンボルの組を取得し、前記１または２以上のデータタイムスロットを前記データシンボルで満たし、前記合成信号を前記基地局へ送信する、請求項１３に記載の移動局。
【請求項２３】
前記処理部は、前記基地局から１または２以上のコードワードを含む制御信号メッセージを受信し、前記１または２以上のコードワードをメモリに格納し、前記メモリから前記コードワードのうちの１つを読み出すことにより、前記コードワードを取得する、請求項１３に記載の移動局。
【請求項２４】
前記処理部は、前記基地局からコードワードインジケータを含む制御信号メッセージを受信し、前記コードワードインジケータを用いて前記コードワードを判定することにより、前記コードワードを取得する、請求項１３に記載の移動局。
【請求項２５】
移動局から受信された合成信号からパイロット信号を抽出する方法であって、
前記移動局へ送信されたコードワードを取得するステップであって、前記コードワードは、サブキャリアの組のうちでパイロットシンボルの組を配置するのに使用され、各サブキャリアは、１または２以上のデータタイムスロットに関連した第１のパイロットタイムスロットと第２のパイロットタイムスロットとを含み、前記第１のパイロットタイムスロットおよび前記第２のパイロットタイムスロットは、前記コードワードにしたがって前記パイロットシンボルで満たされるステップと、
前記コードワードに指示される前記サブキャリアを識別するステップと、
前記合成信号から前記パイロット信号を抽出するステップと
を含む方法。
【請求項２６】
サブキャリアの前記第２のパイロットタイムスロットが１または２以上のパイロットシンボルで満たされている場合には前記サブキャリアの前記第１のパイロットタイムスロットは信号を含まず、前記サブキャリアの前記第１のパイロットタイムスロットが１または２以上のパイロットシンボルで満たされている場合には前記サブキャリアの第２のパイロットタイムスロットは信号を含まない、請求項２５に記載の方法。
【請求項２７】
前記コードワードは、隣接するセルにおける他の移動局に使用されるコードワードと同一である、請求項２５に記載の方法。
【請求項２８】
前記コードワードは前記第１のパイロットタイムスロットを満たすのに使用され、前記コードワードの逆が前記第２のパイロットタイムスロットを満たすのに使用される、請求項２５に記載の方法。
【請求項２９】
前記コードワードは、限られた数の位置でしか隣接セルのコードワードと重複しないように選択される、請求項２５に記載の方法。
【請求項３０】
前記コードワードは疑似乱数ホッピングパターンに基づいたものである、請求項２５に記載の方法。
【請求項３１】
用いる前記疑似乱数ホッピングパターンは、隣接するセルで用いられるものとは異なる、請求項３０に記載の方法。
【請求項３２】
前記コードワードは、ハミング距離性質が良いバイナリエラー訂正コード、または拡張ハミングコード、または拡張ハミングコードの変形、またはノルドストロム‐ロビンソンコードから選択される、請求項２５に記載の方法。
【請求項３３】
１または２以上のコードワードを制御信号メッセージで前記移動局へ送信するステップと、
前記合成信号を受信するステップと、
受信した前記合成信号を格納するステップと、
抽出した前記パイロット信号に基づいてチャネル推定を実行するステップと
をさらに含む、請求項２５に記載の方法。
【請求項３４】
前記移動局が前記コードワードを判定するのに使用するコードワードインジケータを制御信号メッセージで前記移動局へ送信するステップをさらに含む、請求項２５に記載の方法。
【請求項３５】
受信部と、送信部と、前記受信部および前記送信部と接続されて通信可能である処理部とを備える基地局であって、
前記処理部は、前記移動局へ送信されたコードワードを取得し、前記コードワードに指示されるサブキャリアの組を識別し、前記合成信号から前記パイロット信号を抽出するものであり、
前記コードワードは、前記サブキャリアの組のうちでパイロットシンボルの組を配置するのに使用され、各サブキャリアは、１または２以上のデータタイムスロットに関連した第１のパイロットタイムスロットと第２のパイロットタイムスロットとを含み、前記第１のパイロットタイムスロットおよび前記第２のパイロットタイムスロットは、前記コードワードにしたがって前記パイロットシンボルで満たされる、基地局。
【請求項３６】
前記コードワードはビットの組を含み、各ビットは１つのサブキャリアに関連しており、各ビットの値は、関連する前記サブキャリアのうちでの前記移動局に対するパイロットシンボルの有無を表している、請求項３５に記載の基地局。
【請求項３７】
サブキャリアの前記第２のパイロットタイムスロットが１または２以上のパイロットシンボルで満たされている場合には前記サブキャリアの前記第１のパイロットタイムスロットは信号を含まず、前記サブキャリアの前記第１のパイロットタイムスロットが１または２以上のパイロットシンボルで満たされている場合には前記サブキャリアの前記第２のパイロットタイムスロットは信号を含まない、請求項３５に記載の基地局。
【請求項３８】
前記コードワードは、隣接するセルにおける他の移動局に使用されるコードワードと同一であり、
前記コードワードは前記第１のパイロットタイムスロットを満たすのに使用され、前記コードワードの逆が前記第２のパイロットタイムスロットを満たすのに使用され、
前記コードワードは、限られた数の位置でしか隣接セルのコードワードと重複しないように選択される、請求項３５に記載の基地局。
【請求項３９】
前記コードワードは疑似乱数ホッピングパターンに基づいたものである、請求項３５に記載の基地局。
【請求項４０】
用いる前記疑似乱数ホッピングパターンは、隣接するセルで用いられるものとは異なる、請求項３９に記載の基地局。
【請求項４１】
前記コードワードは、ハミング距離性質が良いバイナリエラー訂正コード、または拡張ハミングコード、または拡張ハミングコードの変形、またはノルドストロム‐ロビンソンコードから選択される、請求項３５に記載の基地局。
【請求項４２】
前記処理部は、さらに、１または２以上のコードワードを制御信号メッセージで前記移動局へ送信するか、または前記合成信号を受信するか、または受信した前記合成信号を格納するか、または抽出した前記パイロット信号に基づいてチャネル推定を実行する、請求項３５に記載の基地局。
【請求項４３】
前記処理部は、さらに、前記移動局が前記コードワードを判定するのに使用するコードワードインジケータを制御信号メッセージで前記移動局へ送信する、請求項３５に記載の基地局。
【請求項４４】
前記基地局は、前記コードワードを第１の移動局に、前記コードワードの逆を第２の移動局に割り当てるものであり、
前記第１の移動局および前記第２の移動局は、重複もインターリーブも起こさずに、前記データシンボルを使用する、請求項３５に記載の基地局。
【請求項４５】
１または２以上の基地局と、前記基地局と接続されて通信可能な１または２以上の移動局とを有するシステムであって、
各基地局は、基地局受信部と、基地局送信部と、前記基地局受信部および前記基地局送信部と接続されて通信可能である基地局処理部とを備え、前記基地局処理部は、前記基地局送信部を介して前記移動局の１つへコードワードを送信し、前記基地局受信部を介して前記移動局から受信される合成信号に応じて、前記移動局へ送信された前記コードワードを取得し、前記コードワードに指示されるサブキャリアの組を識別し、前記合成信号からパイロット信号を抽出するものであり、
各移動局は、移動局受信部と、移動局送信部と、前記移動局受信部および前記移動局送信部と接続されて通信可能である移動局処理部とを備え、前記移動局処理部は、合成信号を送信する前記サブキャリアの組を識別し、識別された各サブキャリアは、１または２以上のデータタイムスロットに関連した第１のパイロットタイムスロットと第２のパイロットタイムスロットとを含んでおり、また前記移動局処理部は、前記移動局受信部を介して前記基地局から前記コードワードを受信し、前記サブキャリアの組のうちでパイロットシンボルの組を配置するために前記コードワードを使用し、前記コードワードにしたがって前記第１のパイロットタイムスロットおよび前記第２のパイロットタイムスロットを前記パイロットシンボルで満たし、前記合成信号を変調データ信号とパイロット信号との組合せとしてフォーマットし、前記移動局送信部を介して前記基地局へ前記合成信号を送信するものである、システム。
【請求項４６】
前記基地局処理部は、前記移動局へコードワードインジケータを送信し、
前記移動局処理部は、前記基地局から前記コードワードインジケータを受信し、前記コードワードインジケータから前記コードワードを判定する、
請求項４５に記載の基地局。
【請求項４７】
前記基地局は、前記コードワードを第１の移動局に、前記コードワードの逆を第２の移動局に割り当てるものであり、
前記第１の移動局および前記第２の移動局は、重複もインターリーブも起こさずに、前記データシンボルを使用する、請求項４５に記載のシステム。
【発明の詳細な説明】
【技術分野】
【０００１】
本発明は、広くは移動通信の分野に関し、特に、ＦＤＭＡシステムにおけるアップリンクアクセス用送信スキームに関する。
【背景技術】
【０００２】
第３世代パートナーシッププロジェクト（３ＧＰＰ：３ｒｄ  Ｇｅｎｅｒａｔｉｏｎ  Ｐａｒｔｎｅｒｓｈｉｐ）ロングタームエヴォリューション（ＬＴＥ：Ｌｏｎｇ‐Ｔｅｒｍ  Ｅｖｏｌｕｔｉｏｎ）システムにおけるアップリンクアクセスに対する現行案は、多元アクセススキームとしてインターリーブ周波数分割多重（または周波数分割多元アクセス（ＦＤＭＡ：Ｆｒｅｑｕｅｎｃｙ  Ｄｉｖｉｓｉｏｎ  Ｍｕｌｔｉｐｌｅ  Ａｃｃｅｓｓ））をアップリンクに用いたものである。このスキームは、周波数グリッド上に等間隔に配置された、またはひとつにクラスター化されたサブキャリアを用いたものである。この選択によって、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／直交周波数分割多元アクセス（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）と比べて、送信信号のクレスト因子（すなわちピーク対平均電力比）を低くすることができる。周波数グリッドにわたって等間隔にサブキャリアを配置すると、周波数ダイバーシチの大きな信号が得られ、無線チャネルについて情報が何も得られない場合に有効である。クラスター化されたサブキャリアが効果的なのは、かかるサブキャリアが使用される帯域の部分にわたってチャネルが良くなることが分かっている場合である。３ＧＰＰ  ＬＴＥシステム用物理レイヤインターフェースは、「発展したＵＴＲＡ（Ｕｎｉｖｅｒｓａｌ  Ｔｅｒｒｅｓｔｒｉａｌ  Ｒａｄｉｏ  Ａｃｃｅｓｓ：ユニバーサル地上波無線アクセス）に対する物理レイヤアスペクト（Ｐｈｙｓｉｃａｌ  ｌａｙｅｒ  ａｓｐｅｃｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＵＴＲＡ））」３ＧＰＰ  ＴＲ  ２５．８１４  Ｖ７．１．０（２００６‐０９）という文書において規定されており、当該文書は３ＧＰＰ技術仕様書グループ無線アクセスネットワークによって出版されている。
【０００３】
例えば、図１は例示的にアップリンク送信スキーム１００を示しており、当該アップリンク送信スキーム１００では、フランスはソフィアアンティポリにおける３ＧＰＰ  ＴＳＧ  ＲＡＮ  ＬＴＥ関連特別ＷＧ１にて発表された「ＥＵＴＲＡについてのアップリンク送信および多重化（Ｕｐｌｉｎｋ  Ｔｒａｎｓｍｉｓｓｉｏｎ  ａｎｄ  Ｍｕｌｔｉｐｌｅｘｉｎｇ  ｆｏｒ  ＥＵＴＲＡ）」という題名の３ＧＰＰ寄稿（２００５‐０６‐２０）、文書番号Ｒ１‐０５０６０５、に記載の信号デザインによって、常にパイロット１０２がデータ１０４の前に用いられる。アップリンク送信の一部は、２タイムスロットにわたって等間隔に配置されたサブキャリアを用いており、第１のスロット１０６にはパイロットシンボル１０２が含まれており、第２のスロット１０８にはデータシンボル１０４が含まれている。サブキャリアが分配され、ある使用サブキャリアから次のサブキャリアへとチャネルが大きく変化し得るため、サブキャリアごとに少なくとも１つのパイロットシンボル１０２が必要である。
【０００４】
先の段落で説明したような既存の解決手段の問題の１つに、パイロットシンボルは干渉に対して非常に弱いということがある。異なるセルにおける同一チャネルユーザが同一のサブキャリアの組を使用してアップリンク情報を送信している、ということが想定される。そうすると、本来のユーザのパイロットは大きな同一チャネル干渉を受け、これにより、受信パイロットシンボルから受信部が得るチャネル推定が破損しかねない。それに、強力なエラー訂正コードによる保護があるとしても、データの復号に誤りが生じることにもなりかねないのである。このように、アップリンク用信号デザインを改善して、同一チャネルに対してより大きな耐性があるものとする必要がある。
【０００５】
別の例として、図２はアップリンク送信スキーム２００を示している。ここで、パイロットシンボル２０２ａおよび２０２ｂは、スロットのなかで２つの部分に分けられているのだが、データシンボル２０４ａ、２０４ｂ、２０４ｃ、２０４ｄと比べると、周波数方向では２倍広くなっている（したがって時間方向では２倍狭くなっている）。パイロットシンボルおよびデータシンボルは２つの移動局（ユーザ）によって共有される。２つの移動局のデータスロットは、２つの隣接するインターリーブサブキャリアの組（例えば２０４ｂと２０４ｃ）を通して送信される。例えば、ユーザ１が識別番号１のパイロットシンボルとデータシンボルとを使用して、ユーザ２が識別番号２のパイロットシンボルとデータシンボルとを使用するとしてもよい。この場合であっても、片方のユーザが、異なるセルにおいて同一サブキャリア組を使用している他方のユーザから、パイロットに同一チャネル干渉を受けやすいということが分かっている。このように、このような場合についても信号デザインを改善する必要がある。
【発明の概要】
【０００６】
本発明の一観点によれば、あるパイロットスキームを用いて、干渉が支配するシステムにおけるパフォーマンスを改善する送信スキームが、ＦＤＭＡシステムのアップリンクに提供される。このパイロットスキームは、ある特定のユーザに対してチャネル推定を得ることができるように十分な情報を提供するのであるが、同時にセルごとに異なるパイロットパターンを使用することを可能としており、それによって同一チャネル干渉が軽減されるのである。その結果、本発明の実施形態によって、パイロットに対する同一チャネル干渉がさらに軽減され、干渉を制限した状況においてデータ復号のパフォーマンスがより良いものとなる。
【０００７】
例えば、本発明の第１の実施形態は、移動局から基地局へ送信する合成信号を作成する方法を提供する。サブキャリアの組のうちでパイロットシンボルの組を配置するためのコードワードが取得される。ここで、各サブキャリアには、１または２以上のデータタイムスロットに関連して、第１のパイロットタイムスロットと第２のパイロットタイムスロットとがある。サブキャリアの組について、どれで合成信号を送信するか識別される。第１のパイロットタイムスロットとデータタイムスロットと第２のパイロットタイムスロットとがあり、それらはコードワードにしたがってパイロットシンボルで満たされている。そして、合成信号が変調データ信号とパイロット信号との組合せとしてフォーマットされる。
【０００８】
また、本発明の第２の実施形態は、同一の基地局との通信を所望する２つの移動局にパイロットを重複することなく提供する方法を提供する。コードワードおよびその逆を用いて、２つのパイロットタイムスロットのうちで２つの移動局に対するパイロットシンボルを配置する。２つの移動局が用いるデータシンボルについては、重複も、インターリーブもしていない。
【０００９】
加えて、本発明の第３の実施形態は、用いるコードワードを疑似乱数形式に変える方法を提供する。それにより、別のセル内の移動局からの干渉が常に同じものであるということがなくなる。別々のセルにおける移動局が用いるコードワードの疑似乱数パターンは別々のものとなり、この別々の疑似乱数パターンを用いて特定のコードワードがいつでも選択される。
【００１０】
本発明の第４の実施形態は、受信部と、送信部と、受信部および送信部と接続されて通信可能な処理部を備える移動局を提供する。処理部は、サブキャリアの組について、どれで合成信号を送信するかをまず識別する構成とされる。識別された各サブキャリアには、１または２以上のデータタイムスロットに関連して、第１のパイロットタイムスロットと第２のパイロットタイムスロットとがある。処理部は、次に、サブキャリアの組のうちでパイロットシンボルの組を配置するためのコードワードを取得し、コードワードにしたがって第１のパイロットタイムスロットおよび第２のパイロットタイムスロットをパイロットシンボルで満たす構成とされる。処理部は、最後に、合成信号を変調データ信号とパイロット信号との組合せとしてフォーマットする構成とされる。
【００１１】
本発明の第５の実施形態は、移動局から受信した合成信号からパイロット信号を抽出する方法を提供する。移動局へ送信されたコードワードが取得される。このコードワードを使用して、サブキャリアの組のうちでパイロットシンボルの組を配置する。各サブキャリアには、１または２以上のデータタイムスロットに関連して、第１のパイロットタイムスロットと第２のパイロットタイムスロットとがあり、第１のパイロットタイムスロットおよび第２のパイロットタイムスロットは、コードワードにしたがってパイロットシンボルで満たされている。コードワードに指示されたサブキャリアが識別され、合成信号からパイロット信号が抽出される。第２の移動局については、上記コードワードの逆が指示するサブキャリアが識別され、当該移動局に対するパイロット信号が合成信号から抽出される。
【００１２】
本発明の第６の実施形態は、受信部と、送信部と、受信部および送信部と接続されて通信可能な処理部を備える基地局を提供する。処理部は、移動局へ送信されたコードワードを取得し、コードワードに指示されるサブキャリアの組を識別し、合成信号からパイロット信号を抽出する構成とされる。コードワードを用いて、サブキャリアの組のうちでパイロットシンボルの組を配置する。各サブキャリアには、１または２以上のデータスロットに関連して、第１のパイロットタイムスロットと第２のパイロットタイムスロットとがあり、第１のパイロットタイムスロットおよび第２のパイロットタイムスロットは、コードワードにしたがってパイロットシンボルで満たされている。また処理部は、第２の移動局に送信される第２のコードワードを取得し、第２のコードワードに指示されるサブキャリアの組を識別し、合成信号からパイロット信号を抽出する構成とされる。
【００１３】
本発明の第７の実施形態は、１または２以上の基地局と、基地局と接続されて通信可能な１または２以上の移動局とを有するシステムを提供する。各基地局は、基地局受信部と、基地局送信部と、基地局受信部および基地局送信部と接続されて通信可能な基地局処理部とを備える。基地局処理部は、基地局送信部を介して移動局のうちの１つへコードワードを送信し、基地局受信部を介して移動局から受信される合成信号に応じて、移動局へ送信されたコードワードを取得し、コードワードに指示されるサブキャリアの組を識別し、合成信号からパイロット信号を抽出する構成とされる。同様にして、各移動局は、移動局受信部と、移動局送信部と、移動局受信部および移動局送信部と接続されて通信可能な移動局処理部とを備える。移動局処理部は、移動局受信部を介して基地局からコードワードを受信し、そのコードワードを、サブキャリアの組のうちでパイロットシンボルの組を配置するために使用する構成とされる。各サブキャリアには、１または２以上のデータタイムスロットに関連して、第１のパイロットタイムスロットと第２のパイロットタイムスロットとがある。また移動局処理部は、サブキャリアの組について、どれで合成信号を送信するかを識別し、コードワードにしたがって第１のパイロットタイムスロットおよび第２のパイロットタイムスロットをパイロットシンボルで満たし、合成信号を変調データ信号とパイロット信号との組合せとしてフォーマットし、移動局送信部を介して基地局へ合成信号を送信する構成とされる。
【００１４】
本発明のさらなる利点および効果が以下の説明から明らかとなろう。以下の説明では、添付図面を参照しながら、様々な実施形態を例示している。
【図面の簡単な説明】
【００１５】
【図１】先行技術によって常にパイロットをデータの前に用いるアップリンク送信スキームを示す。
【図２】先行技術によって、周波数幅をデータの２倍、時間幅をデータの半分としたパイロットを用いるアップリンク送信スキームを示す。
【図３】本発明の一実施形態によってデータの前後にパイロットを用いるアップリンク送信スキームを示す。
【図４】本発明の一実施形態によってアップリンク送信スキームを用いるシステムを示すブロック図である。
【図５】本発明の一実施形態によって移動局から基地局へ送信する合成信号を作成する方法のフローチャートを示す。
【図６】本発明の別の実施形態によって移動局から基地局へ送信する合成信号を作成する方法のフローチャートを示す。
【図７】本発明の一実施形態による移動局についての基本的な信号送信図を示す。
【図８】本発明の一実施形態によって、移動局から受信した合成信号からパイロット信号を抽出する方法のフローチャートを示す。
【図９】本発明の別の実施形態によって、移動局から受信した合成信号からパイロット信号を抽出する方法のフローチャートを示す。
【図１０】本発明の一実施形態による基地局についての基本的な信号送信図を示す。
【図１１】２つの移動局にパイロットを割り当てる本発明の方法による送信スキームを示す。
【図１２】本発明の一実施形態による移動局についての基本的な信号送信図を示す。
【図１３】本発明の一実施形態による基地局についての基本的な信号送信図を示す。
【発明を実施するための形態】
【００１６】
本発明の様々な実施形態の構成およびその利用について以下で詳細な議論を行うが、本発明は、多種多様な特定状況において実施可能な応用の利く進歩的コンセプトを提供するものである、ということを了解されたい。ここで論じる特定の実施形態は、単に本発明における特定の構成法および利用法を説明するためのものであり、本発明の範囲を限定しようとするつもりはない。
【００１７】
本発明を理解しやすくするために、以下では数々の用語を定義する。ここで定義する用語には、本発明に関連する分野における当業者が一般に理解している意味がある。「ａ」、「ａｎ」、「ｔｈｅ」のような用語については、その意図するところは単体のみならず、説明のために特定例を用い得る一般的クラスを含むものである。ここでの用語を用いて本発明の特定の実施形態を説明するのであるが、特許請求の範囲における記載を除き、用語の扱い方によって本発明の範囲が定められるものではない。
【００１８】
本発明はＦＤＭＡシステムのアップリンク用送信スキームを提供するものであり、かかる送信スキームは、あるパイロットスキームを用いることで、干渉が支配するシステムにおけるパフォーマンスを改善する。このパイロットスキームは、ある特定のユーザに対してチャネル推定を得ることができるように十分な情報を提供するのであるが、同時にセルごとにパイロットパターンが異なり、それによって同一チャネル干渉を軽減するものである。そのためには、パイロットパターンを２つのスロットに分割して、スロットごとにシンボルのサブセットのみを使用する。各スロットにおけるパイロット位置の選択については、良い性質のバイナリエラー訂正コードを用いて選択する。セルのパイロットパターンを選択するために用いるエラー訂正コードのコードワードは、セルごとに異なるものであり、このようにして、別々のセルのパイロットパターン間の重複を確実に少なくしておくことができるようになり、パイロットにおける同一チャネル干渉が小さくなり、パフォーマンスも潜在的に改善される。本発明は、パイロットに対する同一チャネル干渉をさらに軽減し、干渉を制限した状況においてデータ復号のパフォーマンスをより良いものとする。スロットのサブセットをパイロットに使用するだけであるので、全部のサブキャリアが使用されるわけではなく、加えて、使用するサブキャリアは、全コードワードについて等間隔に配置されるわけではない。このように、この送信スキームによってクレスト因子（すなわちピーク対平均電力比）を増加させる場合もあるが、使用するサブキャリアが少なければ、クレスト因子も低下するため、その増加は軽減される。
【００１９】
ここで図３を参照すると、本発明の一実施形態によってデータ３０４の前後にパイロット３０２を用いるアップリンク送信スキーム３００が示してある。この例では８個のサブキャリアを用いてあるが、本発明を限定しようとする意図は全くない。またデータサブキャリアを各パイロットスロットの空いている側に追加することもできる。各サブキャリアには、１または２以上のデータタイムスロット３０８に関連して、第１のパイロットタイムスロット３０６と第２のパイロットタイムスロット３１０とがある。図示するように、４つのパイロット３０２ａがデータ３０４の前のスロット３０６にあり、別の４つのパイロット、３０２ｂがデータ３０４の後のスロット３１０にある。残りのパイロット位置はアイドルとなっており、つまり信号は何も送信されていない。これら３つのスロットの間でチャネルはそれほど変わるものではないので、復調に必要なチャネル推定が得られるパイロットがひととおり揃う。パイロットシンボルの位置はコードから選択される。例えば、（１，０，１，０，１，０，０，１）というコードワードは、第１のパイロットタイムスロット３０６におけるパイロットに使用する。コードワードの各ビットあるいは位置はサブキャリアに関連しており、１は、パイロットシンボルが関連サブキャリアの第１のパイロットタイムスロットにあることを表し、一方で０はパイロットシンボルがないことを表す。第２のパイロットタイムスロット３１０において、上述のコードワードの逆、すなわち（０，１，０，１，０，１，１，０）は、パイロットシンボルを異なるサブキャリアに配置するのに使用するものである。
【００２０】
他のセルにおいては、パイロットを配置するのに異なるコードワードが使用される場合もある。そして、別々のセルの間でパイロットシンボルが重複する位置の数が、同一チャネル干渉からの影響の受けやすさを表す。うまく構成され、距離性質が良いコードからコードワードを選択することによって、確実に重複を少なくすることが可能であり、それにより、同一チャネル干渉があるなかで、良いパフォーマンスを保証することができる。
【００２１】
一例として、（８，４）拡張ハミングコードを用いて、適切なコードワードを選択することが可能である。このコードのコードワードは以下である。すなわち、（０，０，０，０，０，０，０，０）、（０，０，０，１，０，１，１，１）、（０，０，１，０，１，１，１，０）、（０，０，１，１，１，０，０，１）、（０，１，０，０，１，０，１，１）、（０，１，０，１，１，１，０，０）、（０，１，１，０，０，１，０，１）、（０，１，１，１，０，０，１，０）、およびその逆である。このコードからのコードワードは、少なくとも４つの位置（コードの最小距離）で異なることが保証されている。したがって、各パイロットスロットの４つの位置の最大が、別のセルからのパイロットスロットと重複することになる。例えば、セル１が（０，０，０，１，０，１，１，１）のコードワードとその逆（１，１，１，０，１，０，０，０）とを用いて、そのパイロットを配置し、セル２が（０，１，１，１，０，０，１，０）のコードワードとその逆（１，０，０，０，１，１，０，１）とを用いて、そのパイロットを配置するとした場合、第１のスロットでは４および７の位置で、第２のスロットでは１および５の位置でパイロットが重複することが分かる。各スロットにおいては、干渉されていない、つまり信頼性のあるパイロットが各セルに少なくとも２つある。（１６，８）ノルドストロム‐ロビンソン（ＮＲ：Ｎｏｒｄｓｔｒｏｍ‐Ｒｏｂｉｎｓｏｎ）コードのように、長さを長くして、より強力にしたコードを用いることもできる。このコードは最小距離が６であり、したがって重複がさらに少なくなる。
【００２２】
必要なコードワードの数は、セル同士の間に必要な隔離量に依存することになる。それが、選択するコードワードの数を大きくすることに役立つ。（８，４）ハミングコードではコードワードは１６個しかない（コードワードとその逆が用いられるので、８組しかない）。（１６，８）ＮＲコードだとコードワードは１２８組あり、コードワードを再利用する必要があるのは、大きな距離を隔てた後でのみである。
【００２３】
常に同一のパイロット位置が重複しない場合も効果的である。各セルに疑似乱数ホッピングパターンがあり、そのために毎回異なるコードワードが選択されることで、上記のような場合を実現することができる。セルごとに異なるパターンを用いると、重複しているパイロット位置が毎回（毎フレーム）変わることになり、それにより平均パフォーマンスがより良いものとなる。このようにして選択された疑似乱数ホッピングパターンによって、それぞれの時（それぞれのフレーム）に用いるコードワードのリストが生成される。８個のコードワードでは、｛０，２，４，３，７，５，６，２，１，４，１，……｝のようなホッピングパターンは、特定のコードワード識別する上記インデックスを付けて、選択したコードからこれらのコードワードをＭＳが使用して、順次、ホッピングパターンが示すとおりに、パイロット位置を毎回決定する、ということを示すであろう。ホッピングパターンは、基地局がＭＳへ送信可能である。他のセルでは異なるホッピングパターンを使用可能である。このようなホッピングパターンを用いることで、あるＭＳからの送信が、偶然パイロット配置に同一のコードワードを使用している別のセル内のＭＳから干渉を受けたとしても、次回はその２つのＭＳが異なるコードワードを使用するので、干渉は違ったものとなることが確かであり、このようにしてより良い干渉耐性が得られるのである。ＧＳＭシステムにおける周波数ホッピングにも同様のホッピングパターンを使用する。ホッピングパターンを生成する方法の一例が次の参考文献で与えられている。３ＧＰＰ  ＴＳ  ０５．０２Ｖ８．１０．０（２００１‐０８）、技術仕様書、第３世代パートナーシッププロジェクト、技術仕様書グループＧＳＭ／ＥＤＧＥ無線アクセスネットワーク、無線パスの多重化および多元アクセス。
【００２４】
ここで図４を参照すると、本発明の一実施形態によってアップリンク送信スキームを用いるシステム４００が示してある。このシステムには、１または２以上の基地局４０２と、基地局４０２に接続されて通信可能な１または２以上の移動局４０４とが含まれている。各基地局４０２は基地局受信部４０６と基地局送信部４０８と基地局処理部４１０とを備えており、基地局処理部４１０は基地局受信部４０６と基地局送信部４０８とに接続されて通信可能とされている。基地局処理部４１０は、基地局送信部４０８を介して移動局４０４の１つへコードワード４１２を送信し、基地局受信部４０６を介して移動局４０４から合成信号４１４が受信されると、それに応じて移動局４０４へ送信されたコードワード４１２を取得し、コードワード４１２に指示されたサブキャリアの組を識別し、合成信号４１４からパイロット信号を抽出する構成とされている。同様に、各移動局４０４は移動局受信部４１６と移動局送信部４１８と移動局処理部４２０とを備えており、移動局処理部４２０は移動局受信部４１６と移動局送信部４１８とに接続されて通信可能とされている。移動局処理部４２０は、移動局受信部４１６を介して基地局４０２からコードワード４１２を受信し、コードワード４１２を使用して、各サブキャリアに第１のパイロットタイムスロットと第２のパイロットタイムスロットとが１または２以上のデータタイムスロットと関連して含まれるように、サブキャリアの組のうちでパイロットシンボルの組を配置し、合成信号を送信するサブキャリアの組を識別し、コードワード４１２にしたがって第１のパイロットタイムスロットと第２のパイロットタイムスロットとをパイロットシンボルで満たし、合成信号４１４を変調データ信号とパイロット信号との組合せとしてフォーマットし、移動局送信部４１８を介して基地局４０２へ合成信号４１４を送信する構成とされている。
【００２５】
基地局４０２は、一般的には制御信号メッセージで移動局４０４へコードワード４１２を送信することもあろう。また、基地局４０２は、受信した合成信号４１４を格納し、抽出したパイロット信号に基づいてチャネル推定を行う。同様に、移動局４０４は、データシンボルの組を取得することもあり、そのデータシンボルで１または２以上のデータタイムスロットを満たす。移動局４０４は、一般的にはコードワード４１２をメモリに格納することもあり、必要に応じてメモリからコードワード４１２を読出す。
【００２６】
あるいは、基地局４０２は、移動局４０４へ制御信号メッセージでコードワードインジケータを送信することもあり、これを移動局４０４が用いて、コードワード４１２を判定する。例えば、拡張ハミングコードが使用されることが基地局４０２および移動局４０４で分かっている場合、８ビットいっぱいのコードワードを送信するのではなく、インデックスが４ビットのコードワードインジケータを用いて、あり得る１６個のコードワードを表すことが可能であり、これにより送信資源を節約することができる。同様にして、疑似乱数ホッピングパターンに対するインジケータを用いることもできる。
【００２７】
コードワード４１２は第１のパイロットタイムスロットを満たすのに使用し、コードワード４１２の逆は第２のパイロットタイムスロットを満たすのに使用する。各サブチャネルの第１のパイロットタイムスロットまたは第２のパイロットタイムスロットは少なくとも１つのパイロットシンボルで満たされている。言い換えると、第２のパイロットタイムスロットが１または２以上のパイロットシンボルで満たされている場合には第１のパイロットタイムスロットに信号がなく、第１のパイロットタイムスロットが１または２以上のパイロットシンボルで満たされている場合には第２のパイロットタイムスロットに信号がない。コードワード４１２は、距離性質の良いバイナリエラー訂正コードからのコードワードの組から選択することができる。コードワード４１２は、隣接セルに対する同一のバイナリエラー訂正コードからの異なるコードワードであってもよい。例えば、拡張ハミングコードまたはノルドストロム‐ロビンソンコードをバイナリエラー訂正コードとして用いることができる。選択したエラー訂正コードの距離性質によって、隣接セルに用いられるパイロットスロットに対して干渉するパイロットスロット内のパイロット位置の数が定められることとなろう。
【００２８】
ここで図５を参照すると、本発明の一実施形態によって移動局から基地局への送信用の合成信号を作成する方法５００のフローチャートが示してある。ブロック５０２において、合成信号を送信するサブキャリアの組が識別される。ここで各サブキャリアには、１または２以上のデータタイムスロットに関連して第１のパイロットスロットと第２のパイロットタイムスロットとがある。ブロック５０４においてサブキャリアの組のうちでパイロットシンボルの組を配置するコードワードが取得され、ブロック５０６において第１のパイロットタイムスロットおよび第２のパイロットタイムスロットはコードワードにしたがってパイロットシンボルで満たされる。次に、合成信号が変調データ信号とパイロット信号との組合せとしてフォーマットされる５０８。この方法は、コンピュータ読出可能媒体に実装したコンピュータプログラムを用いて実施可能であり、１または２以上のコードセグメントでステップを実行する。
【００２９】
ここで図６を参照すると、本発明の別の実施形態によって移動局から基地局への送信用の合成信号を作成する方法６００のフローチャートが示してある。ブロック６０２において基地局からコードワードを含む制御信号メッセージが受信され、ブロック６０４においてコードワードはメモリに格納される。その後ブロック６０６において、送信するデータが高位レイヤから取得される。ブロック６０８において、合成信号を送信するサブキャリアの組が識別される。ここで、各サブキャリアには、１または２以上のデータタイムスロットに関連して第１のパイロットタイムスロットと第２のパイロットタイムスロットとがある。ブロック６１０において、サブキャリアの組のうちでパイロットシンボルの組を配置するコードワードがメモリから取得される。ブロック６１２において、第１のパイロットタイムスロットおよび第２のパイロットタイムスロットはコードワードにしたがってパイロットシンボルで満たされる。次に、合成信号が変調データ信号とパイロット信号との組合せとしてフォーマットされ６１４、ブロック６１６において送信される。この方法は、コンピュータ読出可能媒体に実装したコンピュータプログラムを用いて実施可能であり、１または２以上のコードセグメントでステップを実行する。
【００３０】
ここで図７を参照すると、本発明の一実施形態による移動局についての基本的な信号送信図７００が示してある。制御信号７０２がコードワードの選択７０４を開始する。コードワードを用いてパイロット位置を決定する７０６。パイロットシンボル７０８およびデータシンボル７１０はサブキャリアにマッピングされ７１２、逆高速フーリエ変換７１４が行われる。そうして、得られる送信信号はパルス形成されて７１６、送信される。当業者ならば了解するところであるが、本発明がもたらす利点を損なうことなく、ここで説明した処理の前、間、その後に他の信号処理機能を行うことも可能である。
【００３１】
ここで図８を参照すると、本発明の一実施形態によって、移動局から受信した合成信号からパイロット信号を抽出する方法８００のフローチャートが示してある。ブロック８０２において、移動局へ送信されたコードワードが受信される。コードワードを用いて、サブキャリアの組のうちでパイロットシンボルの組を配置する。各サブキャリアには、１または２以上のデータタイムスロットに関連して第１のパイロットタイムスロットと第２のパイロットタイムスロットとがある。第１のパイロットタイムスロットおよび第２のパイロットタイムスロットはコードワードにしたがってパイロットシンボルで満たされている。ブロック８０４において、コードワードに指示されたサブキャリアが識別され、ブロック８０６において、パイロット信号が合成信号から抽出される。
【００３２】
ここで図９を参照すると、本発明の別の実施形態によって、移動局から受信した合成信号からパイロット信号を抽出する方法９００のフローチャートが示してある。ブロック９０２において１または２以上のコードワードが作成され、ブロック９０４において移動局へ制御メッセージでコードワードが送信される。続いて、ブロック９０６において移動局から合成信号が受信され、格納される。ブロック９０８において、移動局へ送信されたコードワードが取得される。ここで、コードワードは、サブキャリアの組のうちでパイロットシンボルを配置するために使用するものである。各サブキャリアには、１または２以上のデータタイムスロットに関連して第１のパイロットタイムスロットと第２のパイロットタイムスロットとがある。第１のパイロットタイムスロットおよび第２のパイロットタイムスロットは、コードワードにしたがってパイロットシンボルで満たされている。ブロック９１０において、コードワードに指示されるサブキャリアが識別され、ブロック９１２において、合成信号からパイロット信号が抽出される。そしてブロック９１４において、抽出したパイロット信号を用いて、チャネル推定を実行する。
【００３３】
ここで図１０を参照すると、本発明の一実施形態による基地局についての基本的な信号送信図１０００が示してある。移動局から受信した合成信号はフィルタリングされ１００２、高速フーリエ変換１００４が実行される。制御信号１００６がコードワードの選択１００８を誘発し、そのコードワードを用いてパイロット位置が決定される１０１０。選択したコードワードは、以前制御信号で移動局へ送信されたコードワードと同一である。パイロット位置１０１０を用いて、サブキャリアからパイロットシンボル１０１４およびデータシンボル１０１６が抽出される１０１２。当業者ならば了解するところであるが、本発明がもたらす利点を損なうことなく、ここで説明した処理の前、間、その後に他の信号処理機能を行うことも可能である。
【００３４】
２つの移動局が同一の基地局へデータを送信する必要がある場合、その２つの移動局に対するパイロット位置を選択するために、コードワードとその逆とを割り当てることが可能である。これにより、２つのモバイルに割り当てられるパイロットが重複しないようにすることができる。先述の（８，４）ハミングコードを用いて、移動局１が、第１のパイロットスロットにパイロットを配置するには（０，０，０，１，０，１，１，１）というコードワードを使用し、第２のパイロットスロットにパイロットを配置するには（１，１，１，０，１，０，０，０）という逆コードワードを使用するようにしてもよい。移動局２は、第１のパイロットスロットには逆コードワードの（１，１，１，０，１，０，０，０）を使用し、第２のパイロットスロットにおいては逆コードワードの逆、すなわちコードワードそのものである（０，０，０，１，０，１，１，１）を使用することができる。
【００３５】
ここで図１１を参照すると、２つの移動局にパイロットを割り当てる本発明の方法よる送信スキームが示してある。パイロットシンボル１１０２ａおよび１１０２ｂは、スロットのなかで２つの部分に分けられているのだが、データシンボル１１０４ａ、１１０４ｂ、１１０４ｃ、１１０４ｄと比べると、周波数方向では２倍広くなっている（したがって時間方向では２倍狭くなっている）。パイロットシンボルおよびデータシンボルは２つの移動局（ユーザ）によって共有される。２つの移動局のデータスロットは、２つの隣接するインターリーブサブキャリアの組（例えば１１０４ｂと１１０４ｃ）を通して送信される。例えば、ユーザ１が識別番号１のパイロットシンボルとデータシンボルとを使用して、ユーザ２が識別番号２のパイロットシンボルとデータシンボルとを使用するとしてもよい。先述の（８，４）拡張ハミングコードを用いてパイロット位置を割り当てる。第１のパイロットスロットにパイロット１１０２ａにおいて第２の移動局にパイロット位置を割り当てるには（０，０，０，１，０，１，１，１）というコードワードを使用し、第１のパイロットスロット１１０２ａにおいて第１の移動局にパイロット位置を割り当てるには（１，１，１，０，１，０，０，０）という逆コードワードを使用する。第２のパイロットスロット１１０２ｂにおいて移動局にパイロット位置を割り当てるには、それぞれの逆を使用する。つまり、第２の移動局には（１，１，１，０，１，０，０，０）というコードワード、第１の移動局には（０，０，０，１，０，１，１，１）というコードワードを使用するということである。
【００３６】
ここで図１２を参照すると、本発明の一実施形態による移動局についての基本的な信号送信図１２００が示してある。制御信号１２０２によってコードワードの選択１２０４が開始し、そのコードワードを用いてパイロット位置を決定する１２０６。まず、ＮＣ／２点ＦＦＴ１２２２によって時間領域（ＴＤ：ｔｉｍｅ‐ｄｏｍａｉｎ）パイロットシンボル１２１８を周波数領域（ＦＤ：ｆｒｅｑｕｅｎｃｙ‐ｄｏｍａｉｎ）パイロットシンボル１２０８へ変換し、一方、ＮＣ点ＦＦＴ１２２４によってＴＤデータシンボル１２２０をＦＤデータシンボル１２１０へ変換する。サブキャリアにおけるパイロットタイムスロットの配置間隔がデータタイムスロットの間隔の２倍なので、パイロットシンボルを変換するのに用いるＦＦＴのサイズはデータシンボルを変換するのに用いるものの半分になる。続いて、ＦＤパイロットシンボル１２０８およびデータシンボル１２１０は、それぞれ対応するパイロットタイムスロットおよびデータタイムスロットにおいて、適当なサブキャリア位置にマッピングされる１２１２。次に、各パイロットタイムスロット、各データタイムスロットにおいて、Ｎ点逆高速フーリエ変換１２１４を行う。ここでＮ≧ＮＣである。そうして、得られる送信信号はパルス形成され１２１６、送信される。当業者ならば了解するところであるが、本発明がもたらす利点を損なうことなく、ここで説明した処理の前、間、その後に他の信号処理機能を行うことも可能である。
【００３７】
ここで図１３を参照すると、本発明の一実施形態による基地局についての基本信号送信図１３００が示してある。基地局から受信された合成信号がフィルタリングされ１３０２、Ｎ点高速フーリエ変換１３０４が行われる。制御信号１３０６がコードワードの選択１００８を誘発し、そのコードワードを用いてパイロット位置が決定される１３１０。選択したコードワードは、以前制御信号で移動局へ送信されたコードワードと同一である。パイロット位置１３１０を用いて、ＦＤパイロットシンボル１３１４およびＦＤデータシンボル１３１６が対応のサブキャリアから抽出される１３１２。ＦＤデータシンボル１３１６は、復調のため、ＮＣ／２点ＩＦＦＴ１３２２によってＴＤデータシンボル１３２０へ変換される。採用のチャネル推定方法に応じて、ＦＤパイロットシンボル１３１４は、ＮＣ点ＩＦＦＴ１３２４によってＴＤパイロットシンボル１３１８へ変換可能である。当業者ならば了解するところであるが、本発明がもたらす利点を損なうことなく、ここで説明した処理の前、間、その後に他の信号処理機能を行うことも可能である。
【００３８】
本発明およびその効果を詳細に説明したが、添付の特許請求の範囲に限定する本発明の範囲から逸脱することなく、本発明に対して様々な変更、置換、修正を行うことが可能であるということを理解されたい。また、明細書に記載の方法（ｐｒｏｃｅｓｓ）、機械（ｍａｃｈｉｎｅ）、製造物（ｍａｎｕｆａｃｔｕｒｅ）、組成物（ｃｏｍｐｏｓｉｔｉｏｎ  ｏｆ  ｍａｔｔｅｒ）、手段（ｍｅａｎｓ）、方法およびステップ（ｍｅｔｈｏｄｓ  ａｎｄ  ｓｔｅｐｓ）の特定の実施形態に本願の範囲を限定するつもりはなく、本願の範囲は特許請求の範囲によってのみ限定されるものである。
【図１】
2010519882.tif 000003
【図２】
2010519882.tif 000004
【図３】
2010519882.tif 000005
【図４】
2010519882.tif 000006
【図５】
2010519882.tif 000007
【図６】
2010519882.tif 000008
【図７】
2010519882.tif 000009
【図８】
2010519882.tif 000010
【図９】
2010519882.tif 000011
【図１０】
2010519882.tif 000012
【図１１】
2010519882.tif 000013
【図１２】
2010519882.tif 000014
【図１３】
2010519882.tif 000015
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
移動局から基地局へ送信する合成信号を作成する方法であって、
１または２以上のデータタイムスロットに関連した第１のパイロットタイムスロットと第２のパイロットタイムスロットとをそれぞれが含むサブキャリアの組のうちでパイロットシンボルの組を配置するためのコードワードを取得するステップと、
前記合成信号を送信するサブキャリアの組を識別するステップと、
前記コードワードにしたがって前記第１のパイロットタイムスロットおよび前記第２のパイロットタイムスロットを前記パイロットシンボルで満たすステップと、
前記合成信号を変調データ信号とパイロット信号との組合せとしてフォーマットするステップと
を含む方法。
【請求項２】
前記コードワードはビットの組を含み、各ビットは１つのサブキャリアに関連しており、各ビットの値は、関連する前記サブキャリアのうちでの前記移動局に対するパイロットシンボルの有無を表している、請求項１に記載の方法。
【請求項３】
サブキャリアの前記第２のパイロットタイムスロットが１または２以上のパイロットシンボルで満たされている場合には前記サブキャリアの前記第１のパイロットタイムスロットにおいて信号が送信されることはなく、前記サブキャリアの前記第１のパイロットタイムスロットが１または２以上のパイロットシンボルで満たされている場合には前記サブキャリアの前記第２のパイロットタイムスロットにおいて信号が送信されることはない、請求項１に記載の方法。
【請求項４】
前記コードワードは、隣接するセルにおける他の移動局に使用されるコードワードと同一である、請求項１に記載の方法。
【請求項５】
前記コードワードは前記第１のパイロットタイムスロットを満たすのに使用され、前記コードワードの逆が前記第２のパイロットタイムスロットを満たすのに使用される、請求項１に記載の方法。
【請求項６】
前記コードワードは、限られた数の位置でしか隣接セルのコードワードと重複しないように選択される、請求項１に記載の方法。
【請求項７】
前記コードワードは疑似乱数ホッピングパターンに基づいたものである、請求項１に記載の方法。
【請求項８】
データシンボルの組を取得するステップと、
前記１または２以上のデータタイムスロットを前記データシンボルで満たすステップと、
前記合成信号を前記基地局へ送信するステップと
を含む、請求項１に記載の方法。
【請求項９】
前記コードワードを取得するステップは、
前記基地局から１または２以上のコードワードを含む制御信号メッセージを受信するステップと、
前記１または２以上のコードワードをメモリに格納するステップと、
前記メモリから前記コードワードのうちの１つを読み出すステップと
をさらに含む、請求項１に記載の方法。
【請求項１０】
前記コードワードを取得するステップは、
前記基地局からコードワードインジケータを含む制御信号メッセージを受信するステップと、
前記コードワードインジケータを用いて前記コードワードを判定するステップと
を含む、請求項１に記載の方法。
【請求項１１】
受信部と、送信部と、前記受信部および前記送信部と接続されて通信可能である処理部とを備える移動局であって、
前記処理部は、合成信号を送信するサブキャリアの組を識別し、識別された各サブキャリアは、１または２以上のデータタイムスロットに関連した第１のパイロットタイムスロットと第２のパイロットタイムスロットとを含んでおり、また前記処理部は、前記サブキャリアの組のうちでパイロットシンボルの組を配置するためのコードワードを取得し、前記コードワードにしたがって前記第１のパイロットタイムスロットおよび前記第２のパイロットタイムスロットを前記パイロットシンボルで満たし、前記合成信号を変調データ信号とパイロット信号との組合せとしてフォーマットする、移動局。
【請求項１２】
前記コードワードはビットの組を含み、各ビットは１つのサブキャリアに関連しており、各ビットの値は、関連する前記サブキャリアのうちでの前記移動局に対するパイロットシンボルの有無を表している、請求項１１に記載の移動局。
【請求項１３】
前記処理部は、サブキャリアの前記第２のパイロットタイムスロットが１または２以上のパイロットシンボルで満たされている場合には前記サブキャリアの前記第１のパイロットタイムスロットにおいて信号を送信せず、前記サブキャリアの前記第１のパイロットタイムスロットが１または２以上のパイロットシンボルで満たされている場合には前記サブキャリアの前記第２のパイロットタイムスロットにおいて信号を送信しない、請求項１１に記載の移動局。
【請求項１４】
前記コードワードは、隣接するセルにおける他の移動局に使用されるコードワードと同一である、請求項１１に記載の移動局。
【請求項１５】
前記処理部は、前記第１のパイロットタイムスロットを満たすのに前記コードワードを使用し、前記コードワードの逆が前記第２のパイロットタイムスロットを満たすのに使用される、請求項１１に記載の移動局。
【請求項１６】
前記コードワードは、限られた数の位置でしか隣接セルのコードワードと重複しない、請求項１１に記載の移動局。
【請求項１７】
前記処理部は、前記基地局からコードワードインジケータを含む制御信号メッセージを受信し、前記コードワードインジケータを用いて前記コードワードを判定することにより、前記コードワードを取得する、請求項１１に記載の移動局。
【請求項１８】
移動局から受信された合成信号からパイロット信号を抽出する方法であって、
前記移動局へ送信されたコードワードを取得するステップであって、前記コードワードは、サブキャリアの組のうちでパイロットシンボルの組を配置するのに使用され、各サブキャリアは、１または２以上のデータタイムスロットに関連した第１のパイロットタイムスロットと第２のパイロットタイムスロットとを含み、前記第１のパイロットタイムスロットおよび前記第２のパイロットタイムスロットは、前記コードワードにしたがって前記パイロットシンボルで満たされるステップと、
前記コードワードに指示される前記サブキャリアを識別するステップと、
前記合成信号から前記パイロット信号を抽出するステップと
を含む方法。
【請求項１９】
サブキャリアの前記第２のパイロットタイムスロットが１または２以上のパイロットシンボルで満たされている場合には前記サブキャリアの前記第１のパイロットタイムスロットは信号を含まず、前記サブキャリアの前記第１のパイロットタイムスロットが１または２以上のパイロットシンボルで満たされている場合には前記サブキャリアの第２のパイロットタイムスロットは信号を含まない、請求項１８に記載の方法。
【請求項２０】
前記コードワードは、隣接するセルにおける他の移動局に使用されるコードワードと同一である、請求項１８に記載の方法。
【請求項２１】
前記コードワードは前記第１のパイロットタイムスロットを満たすのに使用され、前記コードワードの逆が前記第２のパイロットタイムスロットを満たすのに使用される、請求項１８に記載の方法。
【請求項２２】
前記コードワードは、限られた数の位置でしか隣接セルのコードワードと重複しないように選択される、請求項１８に記載の方法。
【請求項２３】
１または２以上のコードワードを制御信号メッセージで前記移動局へ送信するステップと、
前記合成信号を受信するステップと、
受信した前記合成信号を格納するステップと、
抽出した前記パイロット信号に基づいてチャネル推定を実行するステップと
をさらに含む、請求項１８に記載の方法。
【請求項２４】
前記移動局が前記コードワードを判定するのに使用するコードワードインジケータを制御信号メッセージで前記移動局へ送信するステップをさらに含む、請求項１８に記載の方法。
【請求項２５】
受信部と、送信部と、前記受信部および前記送信部と接続されて通信可能である処理部とを備える基地局であって、
前記処理部は、前記移動局へ送信されたコードワードを取得し、前記コードワードに指示されるサブキャリアの組を識別し、前記合成信号からパイロット信号を抽出するものであり、
前記コードワードは、前記サブキャリアの組のうちでパイロットシンボルの組を配置するのに使用され、各サブキャリアは、１または２以上のデータタイムスロットに関連した第１のパイロットタイムスロットと第２のパイロットタイムスロットとを含み、前記第１のパイロットタイムスロットおよび前記第２のパイロットタイムスロットは、前記コードワードにしたがって前記パイロットシンボルで満たされる、基地局。
【請求項２６】
前記コードワードはビットの組を含み、各ビットは１つのサブキャリアに関連しており、各ビットの値は、関連する前記サブキャリアのうちでの前記移動局に対するパイロットシンボルの有無を表している、請求項２５に記載の基地局。
【請求項２７】
サブキャリアの前記第２のパイロットタイムスロットが１または２以上のパイロットシンボルで満たされている場合には前記サブキャリアの前記第１のパイロットタイムスロットは信号を含まず、前記サブキャリアの前記第１のパイロットタイムスロットが１または２以上のパイロットシンボルで満たされている場合には前記サブキャリアの前記第２のパイロットタイムスロットは信号を含まない、請求項２５に記載の基地局。
【請求項２８】
前記コードワードは、隣接するセルにおける他の移動局に使用されるコードワードと同一であり、
前記コードワードは前記第１のパイロットタイムスロットを満たすのに使用され、前記コードワードの逆が前記第２のパイロットタイムスロットを満たすのに使用され、
前記コードワードは、限られた数の位置でしか隣接セルのコードワードと重複しないように選択される、請求項２５に記載の基地局。
【請求項２９】
前記処理部は、さらに、前記移動局が前記コードワードを判定するのに使用するコードワードインジケータを制御信号メッセージで前記移動局へ送信する、請求項２５に記載の基地局。
【請求項３０】
前記基地局は、前記コードワードを第１の移動局に、前記コードワードの逆を第２の移動局に割り当てるものであり、
前記第１の移動局および前記第２の移動局は、重複もインターリーブも起こさずに、前記データシンボルを使用する、請求項２５に記載の基地局。
【国際調査報告】
2010519882.tif 000016
2010519882.tif 000017
2010519882.tif 000018
2010519882.tif 000019